(57)【要約】【課題】循環気流発生のために使用されるサーキュレータにおいて、視覚的な圧迫感を抑制する事のできるサーキュレータを提供することを目的としている。また、照明器を備えても視覚的な圧迫感を抑えた構成で十分な性能を有する天井設置型のサーキュレータを提供することを目的としている。【解決手段】開口部７の吸込口と吹出口を入れ替えて上流下流の送風方向を変化できることで送風方向を変化でき、またファンと天井との間に隙間が必要で無いので薄型構造とでき、さらに回転部となるクロスフローファン２がケーシングと外郭５で覆われているので、回転部が見えることによる視覚的な圧迫感を抑制する事ができる。【選択図】図１
2010243028.tif 000002
【特許請求の範囲】
【請求項１】
クロスフローファンと、前記クロスフローファンを囲んで流路を形成する上ケーシングと下ケーシングとを備え、前記上ケーシングと下ケーシングは下方向と水平方向にかいこうした構成であり、前記クロスフローファンと下ケーシングの各々の最接近部に発生する渦の可変手段を設けて送風方向を変更できることを特徴としたサーキュレータ。
【請求項２】
上ケーシングと下ケーシングを複数の部材で構成し、上ケーシングと下ケーシングの少なくとも一部の位置が可動することを特徴とした請求項１に記載のサーキュレータ。
【請求項３】
上ケーシングと下ケーシングにおいて、クロスフローファンとの最接近部を境に別部材となり、前記別部材の前記クロスフローファン回転方向の一部もしくは全体が可動することを特徴とした請求項２に記載のサーキュレータ。
【請求項４】
上ケーシングと下ケーシングにおいて、クロスフローファンとの最接近部を境に別部材となり、前記別部材の前記クロスフローファン回転と逆方向の一部もしくは全体が可動することを特徴とした請求項２に記載のサーキュレータ。
【請求項５】
上ケーシングと下ケーシングが、クロスフローファンとの最接近部を境に別部材となり、最接近部が可動し、これに応じて前記上ケーシングと前記下ケーシングの各部材が追従して可動することを特徴とした請求項２に記載のサーキュレータ。
【請求項６】
下方向への送風時の上ケーシングと下ケーシング形状と、水平方向の送風時の前記上ケーシングと前記下ケーシング形状が軸対称でないことを特徴とした請求項２から５のいずれかに記載のサーキュレータ。
【請求項７】
下方向への送風時の吹出口よりも、水平方向の送風時の吹出口の幅が小さいことを特徴とした請求項６に記載のサーキュレータ。
【請求項８】
下方向への吹出し口にスイング可動するルーバを取付けたことを特徴とした請求項１から７のいずれかに記載のサーキュレータ。
【請求項９】
天井に既設の引掛けローゼット、もしくは引掛けシーリングに固定する固定手段を備えたことを特徴とした請求項１から８のいずれかに記載のサーキュレータ。
【請求項１０】
いずれかの開口部に集塵フィルタを設置したことを特徴とした請求項１から９のいずれかに記載のサーキュレータ。
【請求項１１】
いずれかの開口部に脱臭フィルタを設置したことを特徴とした請求項１から１０のいずれかに記載のサーキュレータ。
【請求項１２】
モータまたはアクチュエータを用いたケーシング可動構造を備え、前記可動構造とクロスフローファンの回転数をリモコン制御できることを特徴とした請求項１から１１のいずれかに記載のサーキュレータ。
【請求項１３】
板状のベース部分の上面に引掛けローゼット・シーリング取付け部を有し、前記ベース部分の端部に請求項１から１２のいずれかに記載のサーキュレータを備え、前記引掛けローゼット・シーリング取付け部の位置する前記ベース部分の下面に引掛けローゼット、もしくは引掛けシーリングと同形状の照明器取付け部を備えて任意の照明器を取付けた照明付サーキュレータ。
【請求項１４】
モータまたはアクチュエータを用いたケーシング可動構造を備え、前記可動構造とクロスフローファンの回転数と照明器取付け部への通電を制御できることを特徴とした請求項１３に記載の照明付サーキュレータ。
【請求項１５】
請求項１から１２のいずれかに記載のサーキュレータを送風部として備え、水平吹出しの開口部を外側にした複数の送風部の間に照明部を備えたことを特徴とした照明付サーキュレータ。
【発明の詳細な説明】
【技術分野】
【０００１】
本発明は薄型で視覚的な圧迫感を抑制する天井設置のサーキュレータに関するものである。
【背景技術】
【０００２】
従来、天井に設置するサーキュレータは、主に天井扇として、天井との間に隙間を有した下向きのプロペラファンを回転することで送風を行い、また夏季の気流感を得るための下向き送風と、冬季の暖気撹拌のための上向き送風の回転方向を逆転させることで行なっていた（例えば特許文献１参照）。
【０００３】
以下、そのサーキュレータとしての天井扇について図１０を参照しながら説明する。
【０００４】
図に示すように、天井扇１０１は外側回転体１０３のホルダー１０５に天井との隙間１０４を有して羽根１０６が取付けられているものからなり、キャノピー１０２の内部の簡易取付け金具１０７が天井１０８にネジ止めされて天井扇１０１を吊下げている。
【０００５】
上記構成において、羽根１０６は回転軸を中心とする回転方向に所定の角度を持って取付けられており、電動機により羽根１０６が回転すると、羽根１０６の昇圧作用により、正方向の回転では羽根１０６の外側から天井１０８と羽根１０６の間を通った空気が下方に送風され、逆回転では羽根１０６の下方から天井１０８と羽根１０６の間を通って羽根１０６の外周に送風される。よって、主に夏季には気流を直接受風することによる快適性向上の為に正回転方向で使用され、主に冬季に直接風で冷風感を感じないように部屋全体の空気の循環を促がす場合は逆回転で使用される。
【０００６】
また、薄型構造のサーキュレータとして遠心ファンを用いたものが知られている（例えば特許文献２参照）。
【０００７】
以下、そのサーキュレータについて図１１を参照しながら説明する。
【０００８】
図に示すように、サーキュレータ１１０は、天板１１１と底板１１２とで構成された流路１１３が形成されている。その内部に、モータ１１５によって回転するファン１１４が備えつけられており、その内側に固定の静止羽根１１６が備わっている。
【０００９】
蒸気構成において、ファン１１４は反時計回りの方向に回転することにより求心ファンとして機能し、周囲から吸い込み中央下方向に吹出すことができる。実線の矢印は、その時の空気の流れを示す。また、ファン１１４は時計回りの方向に回転することにより遠心ファンとして機能し、中央下方向から吸い込み周囲に吹出すことができる。破線の矢印は、その時の空気の流れを示す。
【先行技術文献】
【特許文献】
【００１０】
【特許文献１】特開平１１−２１０６７８号公報
【特許文献２】特開２００２−３６４８９３号公報
【発明の概要】
【発明が解決しようとする課題】
【００１１】
このような従来のサーキュレータでは、特にプロペラファンが多く利用されてきており、これは回転方向を変えるだけで気流方向が変更できるので季節によって用途を変えるには適していたものの、天井との間に隙間を有する為に、天井からサーキュレータ下端までの距離である厚みが大きくなるという課題があった。
【００１２】
本発明は、このような従来の課題を解決するものであり、クロスフローファンを用いることで、天井との隙間をなくした薄型構造かつ回転体の目隠し構造となるので、視覚的な圧迫感を抑制する事のできるサーキュレータを提供することを目的としている。
【課題を解決するための手段】
【００１３】
本発明の天井扇は上記目的を達成するために、クロスフローファンと、前記クロスフローファンを囲んで流路を形成する上ケーシングと下ケーシングとを備え、前記上ケーシングと下ケーシングは下方向と水平方向にかいこうした構成であり、前記クロスフローファンと下ケーシングの各々の最接近部に発生する渦の可変手段を設けて送風方向を変更できることを特徴としたものである。
【００１４】
また他の手段は、上ケーシングと下ケーシングを複数の部材で構成し、上ケーシングと下ケーシングの少なくとも一部の位置が可動することを特徴としたものである。
【００１５】
また他の手段は、上ケーシングと下ケーシングにおいて、クロスフローファンとの最接近部を境に別部材となり、前記別部材の前記クロスフローファン回転方向の一部もしくは全体が可動することを特徴としたものである。
【００１６】
また他の手段は、上ケーシングと下ケーシングにおいて、クロスフローファンとの最接近部を境に別部材となり、前記別部材の前記クロスフローファン回転と逆方向の一部もしくは全体が可動することを特徴としたものである。
【００１７】
また他の手段は、上ケーシングと下ケーシングが、クロスフローファンとの最接近部を境に別部材となり、最接近部が可動し、これに応じて上ケーシングと下ケーシングの各部材が追従して可動することを特徴としたものである。
【００１８】
また他の手段は、下方向への送風時の上ケーシングと下ケーシング形状と、水平方向の送風時の前記上ケーシングと前記下ケーシング形状が軸対称でないことを特徴としたものである。
【００１９】
また他の手段は、下方向への送風時の吹出口よりも、水平方向の送風時の幅が小さいことを特徴としたものである。
【００２０】
また他の手段は、下方向への吹出し口にスイング可動するルーバを取付けたことを特徴としたものである。
【００２１】
また他の手段は、天井に既設の引掛けローゼット、もしくは引掛けシーリングに固定する固定手段を備えたことを特徴としたものである。
【００２２】
また他の手段は、いずれかの開口部に集塵フィルタを設置したことを特徴としたものである。
【００２３】
また他の手段は、いずれかの開口部に脱臭フィルタを設置したものである。
【００２４】
また他の手段は、モータまたはアクチュエータを用いたケーシング可動構造を備え、前記可動構造とクロスフローファンの回転数をリモコン制御できることを特徴としたものである。
【００２５】
また他の手段は、板状のベース部分の上面に引掛けローゼット・シーリング取付け部を有し、前記ベース部分の端部にサーキュレータを備え、前記引掛けローゼット・シーリング取付け部の位置する前記ベース部分の下面に引掛けローゼット、もしくは引掛けシーリングと同形状の照明器取付け部を備えて任意の照明器を取付けたものである。
【００２６】
また他の手段は、モータまたはアクチュエータを用いたケーシング可動構造を備え、前記可動構造とクロスフローファンの回転数と照明器取付け部への通電を制御できることを特徴としたことを特徴としたである。
【００２７】
また他の手段は、サーキュレータを送風部として備え、水平吹出しの開口部を外側にした複数の送風部の間に照明部を備えたことを特徴としたである。
【発明の効果】
【００２８】
本発明によれば、薄型構造回転体の目隠し構造により視覚的な圧迫感を抑制して、照明器を備えることも可能な天井設置型のサーキュレータを提供できる。
【図面の簡単な説明】
【００２９】
【図１】本発明の実施の形態１のサーキュレータ（下方向送風時）の側断面図
【図２】本発明の実施の形態１のサーキュレータ（水平方向送風時）の側断面図
【図３】本発明の実施の形態１のサーキュレータの斜視図
【図４】本発明の実施の形態２のサーキュレータ（下方向送風時）の側断面図
【図５】本発明の実施の形態２のサーキュレータ（水平方向送風時）の側断面図
【図６】本発明の実施の形態３のサーキュレータ（下方向送風時）の側断面図
【図７】本発明の実施の形態３のサーキュレータ（水平方向送風時）の側断面図
【図８】本発明の実施の形態４の照明付サーキュレータの側面図
【図９】本発明の実施の形態５の照明付サーキュレータの斜視図
【図１０】従来例の天井扇の側面図
【図１１】他の従来例の天井扇の側面図
【発明を実施するための形態】
【００３０】
本発明の請求項１記載のサーキュレータは、クロスフローファンと、前記クロスフローファンを囲んで流路を形成する上ケーシングと下ケーシングとを備え、前記上ケーシングと下ケーシングは下方向と水平方向にかいこうした構成であり、前記クロスフローファンと下ケーシングの各々の最接近部に発生する渦の可変手段を設けて送風方向を変更できるものであり、夏季は気流感を得ることのできる下向き送風とし、冬季は気流感を抑えた循環効果を得る送風として送風方向を変化でき、またファンと天井との間に隙間が必要で無いので薄型構造とでき、さらに回転部となるクロスフローファンがケーシングで覆われているので、回転部が見えることによる視覚的な圧迫感を抑制する事ができる。
【００３１】
また請求項２記載の発明は、上ケーシングと下ケーシングを複数の部材で構成し、上ケーシングと下ケーシングの少なくとも一部の位置が可動するものであり、クロスフローファンに対する上ケーシングと下ケーシングの相対位置を変化させて渦の発生位置を変えることで送風方向を変化できる。
【００３２】
また請求項３記載の発明は、渦可変手段は、上ケーシングと下ケーシングを、クロスフローファンとの最接近部を境に別部材で構成し、前記最接近部の前記クロスフローファン回転方向側の前記別部材の少なくとも一部が可動するものであり、可動部を少なくして容易な構成で送風方向を変化でき、また吹出し流れの整流のためにフィン上のルーバを設置することもあるが、上ケーシングと下ケーシングは吹出し時を基準として広がる方向に稼動するので、ルーバと干渉することなく最適形状のルーバを設置したりできる。
【００３３】
また請求項４記載の発明は、上ケーシングと下ケーシングにおいて、クロスフローファンとの最接近部を境に別部材となり、前記別部材の前記クロスフローファンの回転方向箇所を固定したままで回転と逆方向の一部もしくは全体が可動するものであり、一般的に上ケーシングと下ケーシングの回転と逆方久箇所は流れを整流する役目のための大きな部材となり易いが、これと比較して回転方向箇所は小さくても良く、可動範囲の小さな機構とすることができる。
【００３４】
また請求項５記載の発明は、上ケーシングと下ケーシングが、クロスフローファンとの最接近部を境に別部材となり、最接近部が可動し、これに応じて前記上ケーシングと前記下ケーシングの各部材が追従して可動するものであり、可動範囲が大きくなり、可動構造と最適ケーシング形状の両立が可能となり、送風方向を変化できる構成でも送風効率をよくする事ができる。
【００３５】
また請求項６記載の発明は、下方向への送風時の上ケーシングと下ケーシング形状と、水平方向の送風時の前記上ケーシングと前記下ケーシング形状が軸対称でないものであり、吹出口下流の形状が、下方向吹出し時には室内空間の開けた空間となり、水平方向吹出し時には天井壁面が近接する空間となるので、各条件時に最適なケーシングを構成することで、送風性能をよくする事ができる。
【００３６】
また請求項７記載の発明は、下方向への送風時の吹出口よりも、水平方向の送風時の幅が小さいものであり、水平方向の送風時には吹出口の近傍の逆流が起きにくくなって天井壁面の摩擦によって生じるロスに対抗して送風性能をよくすることができ、下方向の送風時の吹出口幅を大きくすることでロスを減らして送風性能をよくすることができる。
【００３７】
また請求項８記載の発明は、下方向への吹出し口にスイング可動するルーバを取付けたものであり、夏季下向き方向の送風をスイングすることにより広範囲で気流感を得る事ができ、快適範囲を拡大する事ができる。
【００３８】
また請求項９記載の発明は、天井に既設の引掛けローゼット、もしくは引掛けシーリングに固定する固定手段を備えたものであり、サーキュレータ本体の取付けが容易になる。
【００３９】
また請求項１０記載の発明は、いずれかの開口部に集塵フィルタを設置したものであり、室内の空気を循環すると共に、空気中のほこり、塵埃を捕集して空気を清浄する事ができる。
【００４０】
また請求項１１記載の発明は、いずれかの開口部に脱臭フィルタを設置したことを特徴としたものであり、室内の空気を循環すると共に、においを捕集して空気を清浄する事ができる。
【００４１】
また請求項１２記載の発明は、モータまたはアクチュエータを用いたケーシング可動構造を備え、前記可動構造とクロスフローファンの回転数をリモコン制御できるものであり、ケーシングを電気的な可動構造とすることで、天井に設置されて直接触れにくいサーキュレータの操作を容易にすることができる。
【００４２】
また請求項１３記載の発明は、板状のベース部分の上面に引掛けローゼット・シーリング取付け部を有し、前記ベース部分の端部に請求項１から１２のいずれかに記載のサーキュレータを備え、前記引掛けローゼット・シーリング取付け部の位置する前記ベース部分の下面に引掛けローゼット、もしくは引掛けシーリングと同形状の照明器取付け部を備えて任意の照明器を取付けた照明付サーキュレータであって、前記引掛けローゼット・シーリング取付け部の位置する前記ベース部分の下面に引掛けローゼット、もしくは引掛けシーリングと同形状の照明器取付け部を備えたものであり、サーキュレータを介して照明器を取付けることで、特に日本の部屋構造においては天井に照明器を取付ける構造しかない課題に対して両方の機器を取付けることができ、また、送風部の間に照明器を設置するので、天井からの張り出しを押さえて視覚的な圧迫感を抑制することができる。
【００４３】
また請求項１４記載の発明は、モータまたはアクチュエータを用いたケーシング可動構造を備え、前記可動構造とクロスフローファンの回転数と照明器取付け部への通電を制御できるものであり、ケーシングを電気的な可動構造とすることで、天井に設置されて直接触れにくいサーキュレータのコントロールを容易にできることに加え、サーキュレータを介して取付けた照明器の操作も１つのリモコンで容易に行なうことができる。
【００４４】
また請求項１５記載の発明は、請求項１から１２のいずれかに記載のサーキュレータを送風部として備え、水平吹出しの開口部を外側にした複数の送風部の間に照明部を備えたものであり、特に日本の部屋構造においては天井に照明器を取付ける構造しかない課題に対して、サーキュレータと照明器の各々の機能を妨げずに１つの取付けで両方の効果を得る事ができる。
【００４５】
（実施の形態１）
図１は実施の形態におけるサーキュレータの側断面図であり下向方向の送風時を示しており、図２は同側断面図の水平方向の送風時を示しており、図３は全体の斜視図を示している。
【００４６】
これらの図に示すように、サーキュレータ１は、クロスフローファン２と、クロスフローファン２を囲んで流路を形成する上ケーシング３と下ケーシング４と、電動機や制御基盤等を内包して全体構造を保つ外郭５から構成されて天井６に設置され、吸込口と吹出口を兼ねる２つの開口部７が下方向と水平方向を向いており、上ケーシング３と下ケーシング４のそれぞれがファンとの最接近部８、および９で分割された複数面部材で構成されており、その一部であるクロスフローファン２回転と逆方向の可動部分１０および１１の位置を可動させることで吸込口と吹出口を入れ替えて上流下流の送風方向を変化できる構成となっている。
【００４７】
ここで図１は下方向送風時のケーシング形状であるが、可動部分１０および１１が最下位置で固定されることにより、下ケーシング４は最接近部９が鋭い角度となって渦可変手段として渦を引寄せる役目をするスタビライザとなることでクロスフローファン２の回転方向に応じた内部の渦１２が下方に寄ってその渦１２外周部を上ケーシング３が渦の外側を整流して吹出し口まで導く役目をするリアガイダとなって流れを導くことで、下方向流れが発生する。
【００４８】
また図２は水平方向送風時のケーシング形状であるが、可動部分１０および１１が最上位置で固定されることにより、上ケーシング３は最接近部８が鋭い角度となってスタビライザとなることでクロスフローファン２の回転方向に応じた内部の渦１２が上方に寄ってその渦１２外周部を下ケーシング４がリアガイダとなって流れを導くことで、水平方向流れが発生する。
【００４９】
また、図１と図２の比較により、下方向への送風時のケーシング形状と、水平方向の送風時のケーシング形状が異なっており（回転しても重ならない形状）、下方向への送風時の吹出口の幅１３よりも、水平方向への送風時の吹出口の幅１４が小さくなる形状となっている。
【００５０】
また、下方向への送風時の吹出口スイング可動するルーバ１５をとりつけた構成となっている。
【００５１】
また、外郭５の内部にはクロスフローファン２を回転させるモータとは別に上ケーシング３と下ケーシング４を可動させる小型のモータ（図示せず）が備えられており、ケーシング可動構造とクロスフローファンの回転数をリモコン制御できる構成となっている。
【００５２】
上記構成において、開口部７の吸込口と吹出口を入れ替えて上流下流の送風方向を変化できることで、夏季は気流感を得ることのできる下向き送風とし、冬季は気流感を抑えた循環効果を得る送風として送風方向を変化でき、またファンと天井との間に隙間が必要で無いので薄型構造とでき、さらに回転部となるクロスフローファン２がケーシングと外郭５で覆われているので、回転部が見えることによる視覚的な圧迫感を抑制する事ができる。
【００５３】
また、上ケーシング３と下ケーシング４が分割された複数の部材で構成されており、その一部または全体の位置を可動させているので、クロスフローファン２に対する上ケーシング３と下ケーシング４の相対位置を変化させてスタビライザの面とリアガイダ面の役目を入れ替えることで送風方向を変化させる事ができ、特に実施の形態１では、上ケーシング３と下ケーシング４の変化部を、最接近部８および９を境としてファン回転と逆方向の可動部分１０および１１の一部もしくは全体が可動する構成となっているので、可動部を少なくして容易な構成で送風方向を変化でき、また吹出し流れの整流のためにフィン上のルーバを設置することもあるが、上ケーシングと下ケーシングは吹出し時を基準として広がる方向に稼動するので、逆の場合にケーシングとルーバの干渉をさけるために、一部分のルーバを間引いたりする必要があるが、この場合にはルーバとの干渉を気にすることなく吹出し口全体に渡って最適形状のルーバを設置できる。
【００５４】
また、下方向への送風時の上ケーシング３と下ケーシング４の相対位置と、水平方向の送風時の前記上ケーシング３と前記下ケーシング４相対位置が異なっているので、吹出口下流の形状が、下方向吹出し時には室内空間の開けた空間１６となり、水平方向吹出し時には天井面が近接する空間１７となるので、各条件時に最適なケーシングを構成することで、送風性能をよくする事ができ、特に実施の形態１では、下方向への送風時の吹出口の幅１３よりも、水平方向への送風時の吹出口の幅１４を小さくすることで、水平方向の送風時には吹出口の近傍の逆流が起きにくくなって天井壁面の摩擦によって生じるロスに対抗して送風性能をよくすることができ、下方向の送風時の吹出口幅を大きくすることでロスを減らして送風性能をよくすることができる。
【００５５】
また、下方向への吹出口にスイング可動するルーバ１５を取付けているので、夏季下向き方向の送風をスイングすることにより広範囲で気流感を得る事ができ、快適範囲を拡大する事ができる。
【００５６】
また、外郭５の内部にモータを用いたケーシング可動構造を備えてケーシング可動構造とクロスフローファンの回転数をリモコン制御できるようにしているので、ケーシングを電気的な可動構造とすることで、天井に設置されて直接触れにくいサーキュレータ１の操作を容易にすることができる。
【００５７】
なお実施の形態１では最接近部８および９を境としたファン回転と逆方向の上ケーシング３と下ケーシング４の部材は１つであるが複数でもよく、このときはこの複数部材の節の角度も変化させることでより細かいケーシング変更が可能となり、より最適な送風性能とする事ができる。
【００５８】
（実施の形態２）
図４は実施の形態２における天井扇のサーキュレータの側断面図であり下向方向の送風時を示しており、図５は同側断面図の水平方向の送風時を示しており、実施の形態１と同一部分の詳細な説明は省略する。
【００５９】
これらの図に示すように、サーキュレータ１は吸込口と吹出口を兼ねる２つの開口部７が下方向と水平方向を向いており、上ケーシング３と下ケーシング４のそれぞれがファンとの最接近部８、および９で分割された複数面部材で構成されており、その一部であるクロスフローファン２回転と逆方向の可動部分１８および１９の位置を可動させることで吸込口と吹出口を入れ替えて上流下流の送風方向を変化できる構成となっている。
【００６０】
ここで図４は下方向送風時のケーシング形状であるが、可動部分１８および１９が最下位置で固定されることにより、下ケーシング４は最接近部９が鋭い角度となって渦可変手段として渦を引寄せる役目をするスタビライザとなることでクロスフローファン２の回転方向に応じた内部の渦１２が下方に寄ってその渦１２外周部を上ケーシング３が渦の外側を整流して吹出し口まで導く役目をするリアガイダとなって流れを導くことで、下方向流れが発生する。
【００６１】
また図５はは水平方向送風時のケーシング形状であるが、可動部分１８および１９が最上位置で固定されることにより、上ケーシング３は最接近部８が鋭い角度となってスタビライザとなることでクロスフローファン２の回転方向に応じた内部の渦１２が上方に寄ってその渦１２外周部を下ケーシング４がリアガイダとなって流れを導くことで、水平方向流れが発生する。
【００６２】
また実施の形態２では、下方向送風時に吸込み口となる箇所にホコリなどを収集する集塵フィルタ２０が設置されており、下方向送風時であっても水平方向送風時であっても、ここを空気が流れる構造となっている。
【００６３】
上記構成において、上ケーシング３と下ケーシング４が分割された複数の部材で構成されており、その一部または全体の位置を可動させているので、クロスフローファン２に対する上ケーシング３と下ケーシング４の相対位置を変化させてスタビライザの面とリアガイダ面の役目を入れ替えることで送風方向を変化させる事ができ、特に実施の形態１では、上ケーシング３と下ケーシング４の変化部を、最接近部８および９を境としてファン回転方向の可動部分１０および１１の一部もしくは全体が可動する構成となっているので、一般的に上ケーシングと下ケーシングの回転と逆方久箇所は流れを整流する役目のための大きな部材となり易いが、これと比較して回転方向箇所は小さくても良く、可動範囲の小さな機構とすることができる。
【００６４】
また、クロスフローファン２の上流もしくは下流となる箇所に集塵フィルタ２０を設置しているので、室内の空気を循環すると共に、空気中のほこり、塵埃を捕集して空気を清浄する事ができる。
【００６５】
なお実施の形態１では最接近部８および９を境としたファン回転方向の上ケーシング３と下ケーシング４の部材は１つであるが複数でもよく、このときはこの複数部材の節の角度も変化させることでより細かいケーシング変更が可能となり、より最適な送風性能とする事ができる。
【００６６】
なお、実施の形態２では集塵フィルタ２０を下方向送風時に吸込み口となる箇所へ設置したが、水平方向送風時に吸込み口となる箇所でも同様の効果が得られる。
【００６７】
（実施の形態３）
図６は実施の形態２における天井扇のサーキュレータの側断面図であり下向方向の送風時を示しており、図７は同側断面図の水平方向の送風時を示しており、実施の形態１と同一部分の詳細な説明は省略する。
【００６８】
これらの図に示すように、サーキュレータ１は吸込口と吹出口を兼ねる２つの開口部７が下方向と水平方向を向いており、上ケーシング３と下ケーシング４のそれぞれがファンとの最接近部２１、および２２で分割された複数面部材で構成されており、最接近部２１、および２２が可動し、これに応じて上ケーシング３と前記下ケーシング４の各部材が追従して可動することを特徴として上流下流の送風方向を変化できる構成となっている。
【００６９】
ここで図６は下方向送風時のケーシング形状であるが、最接近部２１および２２が可動端部Ａで固定されて、この最接近部２１および２２の可動に伴い上ケーシング３と下ケーシング４が追従して可動し、下ケーシング４は最接近部２２が鋭い角度となってスタビライザとなることでクロスフローファン２の回転方向に応じた内部の渦１２が下方に寄ってその渦１２外周部を上ケーシング３がリアガイダとなって流れを導くことで、下方向流れが発生する。
【００７０】
また図７は水平方向送風時のケーシング形状であるが、最接近部２１、および２２が可動端部Ｂで固定されて、この最接近部２１および２２の可動に伴い上ケーシング３と下ケーシング４が追従して可動し、上ケーシング３は最接近部２１が鋭い角度となってスタビライザとなることでクロスフローファン２の回転方向に応じた内部の渦１２が上方に寄ってその渦外周部を下ケーシングがリアガイダとなって流れを導くことで、水平方向流れが発生する。
【００７１】
また実施の形態３では、下方向送風時に吸込み口となる箇所にニオイを吸着する脱臭フィルタ２３が設置されており、下方向送風時であっても水平方向送風時であっても、ここを空気が流れる構造となっている。
【００７２】
上記構成において、上ケーシング３と下ケーシング４が分割された複数面部材で構成されており、その一部または全体の位置を可動させているので、クロスフローファン２に対する上ケーシング３と下ケーシング４の相対位置を変化させてスタビライザの面とリアガイダ面の役目を入れ替えることで送風方向を変化させる事ができ、特に実施の形態３では、上ケーシング３と下ケーシング４が、クロスフローファン２との最接近部２１および２２を境に別部材となり、最接近部２１および２２の可動に応じて上ケーシング３と下ケーシング４の各部材が追従して可動する構成となっているので、可動範囲が大きくなり、可動構造と最適ケーシング形状の両立が可能となり、送風方向を変化できる構成でも送風効率をよくする事ができる。
【００７３】
また、クロスフローファン２の上流もしくは下流となる箇所に脱臭フィルタ２３を設置しているので、室内の空気を循環すると共に、空気中のにおいを捕集して空気を清浄する事ができる。
【００７４】
なお実施の形態３では最接近部２１および２２を境にして上ケーシング３と下ケーシング４は２分割されているが、これ以上でもよく、このときはこの複数部材の節の角度も変化させることでより細かいケーシング変更が可能となり、より最適な送風性能とする事ができる。
【００７５】
なお、実施の形態３では集塵フィルタ２０を下方向送風時に吸込み口となる箇所へ設置したが、水平方向送風時に吸込み口となる箇所でも同様の効果が得られる。
【００７６】
（実施の形態４）
図８は実施の形態４における照明付サーキュレータ斜視図を示しており、実施の形態１から３と同一部分の詳細な説明は省略する。
【００７７】
この図に示すように、照明付サーキュレータ２４は、板状のベース部分２５と、ベース部分２５の上面に引掛けローゼット３０（天井に設置されている主に照明器具を取付ける部材）に取付ける引掛けローゼット取付け部２６を有し、ベース部分２５の端部に請求項１から９のいずれかに記載のクロスフローファン２と上ケーシング３と下ケーシング４から構成されるケーシング２７を含むサーキュレータ１を本体一部の送風部２８として照明付サーキュレータ２４の外側に水平方向吹出口３５が向くように備えており、引掛けローゼット取付け部２６の位置するベース部分２５の下面に引掛けローゼットと同形状の照明器取付け部２９を備えた構成となっている。
【００７８】
また、送風部２８の端部にはクロスフローファン２を回転させるモータとは別にケーシング２７を可動させる小型のモータ（図示せず）が備えられており、ケーシング可動構造とクロスフローファン回転数と照明器取付け部への通電を制御できる構成となっている。
【００７９】
上記構成において、天井に存在する引掛けローゼット３０に取付けのできる構造としているので、サーキュレータ本体の取付けが容易になり、これを板状のベース部分２５の上面に有し、ベース部分２５の端部に請求項１から９のいずれかに記載のサーキュレータ１を本体一部の送風部２８として備え、引掛けローゼット取付け部２６の位置するベース部分２５の下面に引掛けローゼット３０と同形状の照明器取付け部２９を備えているので、サーキュレータの照明取付け部２９を介して照明器３１を取付けることで１つの引掛けローゼットに送風部２８と照明器３１の両方の機器を取付けることができ、また送風部２８の間に照明器３１を設置するので、天井からの張り出しを押さえて視覚的な圧迫感を抑制することができる。
【００８０】
また、送風部２８の外郭内部にモータを用いたケーシング可動構造を備え、前記可動構造とクロスフローファン回転数と照明器取付け部を介して照明器３１への通電を制御できる構成としているので、ケーシングを電気的な可動構造とすることで、天井に設置されて直接触れにくいサーキュレータのコントロールを容易にできることに加え、サーキュレータを介して取付けた照明器の操作も１つのリモコンで容易に行なうことができる。
【００８１】
なお、実施の形態４では照明付サーキュレータ２４の取付けとして引掛けローゼットを対象としたが、同様に主に照明器具を取付けるために天井に設置されている引掛けシーリングを対象としても同様の効果が得られる。
【００８２】
（実施の形態５）
図９は実施の形態５における照明付サーキュレータの斜視図であり、実施の形態１から４と同一部分の詳細な説明は省略する。
【００８３】
図に示すように、照明付サーキュレータ３２は、請求項１から９のいずれかに記載のクロスフローファン２と上ケーシング３と下ケーシング４から構成されるケーシング２７を含むサーキュレータ１を本体一部の送風部２８として照明付サーキュレータ３２の外側に水平方向吹出口が向くように備えており、水平吹出しの開口部を外側にした複数の送風部２８の間に照明部３３を備えた構成となっている。
【００８４】
上記構成において、クロスフローファン２とケーシング２７を送風部２８として、水平吹出しの開口部３４を外側にした複数の送風部２８の間に照明部３３を備えているので、サーキュレータと照明器の各々の機能を妨げずに１つの取付けで両方の効果を得る事ができる。
【００８５】
なお、実施の形態５ではサーキュレータ１を水平方向吹出口が外側に向くように備えているが、照明部３３とサーキュレータ１の間に隙間を有する場合には、向きに寄らず同様の効果を得る事ができる。
【産業上の利用可能性】
【００８６】
本発明にかかるサーキュレータは、薄型構造回転体の目隠し構造により視覚的な圧迫感を抑制する効果を有し、また、照明器を備えても視覚的な圧迫感を抑えた構成で十分な性能を有する天井設置型のサーキュレータとして有用である。
【符号の説明】
【００８７】
１      サーキュレータ
２      クロスフローファン
３      上ケーシング
４      下ケーシング
５      外郭
６      天井
７      開口部
８      最接近部
９      最接近部
１０    可動部分
１１    可動部分
１２    渦
１３    吹出口の幅
１４    吹出口の幅
１５    ルーバ
１６    開けた空間
１７    天井面が近接する空間
１８    可動部分
１９    可動部分
２０    集塵フィルタ
２１    最接近部
２２    最接近部
２３    脱臭フィルタ
２４    照明付サーキュレータ
２５    ベース部分
２６    引掛けローゼット取付け部
２７    ケーシング
２８    送風部
２９    照明器取付け部
３０    引掛けローゼット
３１    照明器
３２    照明付サーキュレータ
３３    照明部
３４    開口部
３５    水平方向吹出口
１０１  天井扇
１０２  キャノピー
１０３  外側回転体
１０４  隙間
１０５  ホルダー
１０６  羽根
１０７  簡易取付け金具
１０８  天井
１１０  サーキュレータ
１１１  天板
１１２  底板
１１３  流路
１１４  ファン
１１５  モータ
１１６  静止羽根
【図１】
2010243028.tif 000003
【図２】
2010243028.tif 000004
【図３】
2010243028.tif 000005
【図４】
2010243028.tif 000006
【図５】
2010243028.tif 000007
【図６】
2010243028.tif 000008
【図７】
2010243028.tif 000009
【図８】
2010243028.tif 000010
【図９】
2010243028.tif 000011
【図１０】
2010243028.tif 000012
【図１１】
2010243028.tif 000013